(57)【要約】【課題】  ２本のセパレータを接続するセパレータ結合金具であって、所望の長さを確実に保持できるものを提供する。【解決手段】  基本セパレータ１２の端部に形成された雄ネジと螺合して基本セパレータを一定の位置で締付固定する雌ネジ穴１１１と、調整セパレータが貫通する貫通孔１１２と、貫通孔１１２内で貫通孔と交差する方向に進退自在に設けられた締付部材１１５と、締付部材を進退させる移動部材としてのナット１１６と、締付部材に形成され調整セパレータ１３が挿通自在な挿通部１１５ｂと挿通部から形成された斜面部１１５ｃとを有し、調整セパレータ１３を貫通孔１１２に挿通し、移動部材１１６が締付部材１１５を貫通孔と交差する方向に移動したとき、斜面部１１５ｃが調整セパレータ１３に圧接して調整セパレータ１３の軸方向の移動を固定する。【選択図】      図１
2007255163.tif 000002
【特許請求の範囲】
【請求項１】
基本セパレータと調整セパレータとの２本のセパレータを接続して所望の長さのセパレータにするセパレータ結合金具において、結合金具本体に、前記基本セパレータの端部に形成された雄ネジと螺合して基本セパレータを一定の位置で締付固定する雌ネジ穴と、前記調整セパレータが貫通する貫通孔とを形成し、前記貫通孔内で貫通孔と交差する方向に進退自在に設けられた締付部材と、該締付部材を進退させる移動部材とを前記結合金具本体に設け、該締付部材に前記調整セパレータが挿通自在な挿通部と該挿通部から形成された斜面部とを形成し、前記調整セパレータを前記貫通孔と挿通部の重なり部分に挿通して前記移動部材が締付部材を前記貫通孔と交差する方向に移動したとき、前記斜面部が前記調整セパレータに圧接して調整セパレータの軸方向の移動を固定可能としたことを特徴とするセパレータ結合金具。
【請求項２】
前記締付部材の挿通部が、前記調整セパレータを挿通可能な貫通孔で、該貫通孔が調整セパレータを挿通可能な大径部と、該大径部に連続し調整セパレータの径より小さい小径部とを有し、前記斜面部が大径部と小径部との間に形成されたことを特徴とする請求項１記載のセパレータ結合金具。
【請求項３】
基本セパレータと調整セパレータとの２本のセパレータを接続して所望の長さのセパレータにするセパレータ結合金具において、結合金具本体に、前記基本セパレータの端部に形成された雄ネジと螺合して基本セパレータを一定の位置で締付固定する雌ネジ穴と、前記調整セパレータが貫通する貫通孔とを形成し、該貫通孔内で貫通孔と交差する方向に進退自在に設けられた締付部材を設け、前記締付部材が前記調整セパレータが挿通可能な挿通孔と、該締付部材を進退させる移動部材とを有し、前記調整セパレータを前記貫通孔と挿通孔の重なり部分に挿通し、前記移動部材が締付部材を前記貫通孔と交差する方向に移動したとき、前記貫通孔と挿通孔とのずれによって前記調整セパレータの軸方向の移動が固定されることを特徴とするセパレータ結合金具。
【請求項４】
前記移動部材が、前記締付部材に形成された雄ネジと、該雄ネジと螺合するナットとからなることを特徴とする請求項１から３のいずれかに記載のセパレータ結合金具。
【請求項５】
基本セパレータと調整セパレータとの２本のセパレータを接続して所望の長さのセパレータにするセパレータ結合金具において、結合金具本体が、相対向して配置され一端側で接続した２枚の弾性板から構成され、２枚の弾性板の前記接続部側に基本セパレータの端部に形成された雄ネジと螺合して基本セパレータを一定の位置で締付固定する雌ネジ穴を形成し、該雌ネジ穴に近接した２枚の弾性板が対向する位置に調整セパレータが挿通される貫通部を形成し、前記弾性板の対向する２枚の板の間隔を調整する締付部材を設け、該締付部材で２枚の弾性板の間隔を狭めることで、前記調整セパレータを任意の位置に締付固定可能としたことを特徴とするセパレータ結合金具。
【請求項６】
前記締付部材が、前記２枚の板を貫通したボルトとナットであることを特徴とする請求項５記載のセパレータ結合金具。
【請求項７】
基本セパレータと調整セパレータとの２本のセパレータを接続して所望の長さのセパレータにするセパレータ結合金具において、結合金具本体に、前記基本セパレータの雄ネジと螺合して基本セパレータを一定の位置で締め付け固定する雌ネジ穴と、該雌ネジ穴から延長形成された通し穴と、該雌ネジ穴及び通し穴とに平行に形成され、前記調整セパレータが貫通自在な貫通孔とを形成し、該貫通孔と交差する方向に進退自在に設けられた締付部材と、該締付部材を進退させる移動部材とを前記結合金具本体に設け、該移動部材によって前記締付部材が、前記貫通孔と、前記雌ネジ穴または該雌ネジ穴から延長された通し穴の双方に同時に進退可能であることを特徴とするセパレータ結合金具。
【請求項８】
前記貫通孔の少なくとも一部が雌ネジ穴であることを特徴とする請求項７記載のセパレータ結合金具。
【発明の詳細な説明】
【技術分野】
【０００１】
本発明はコンクリートの型枠を支持するセパレータに関し、特に、セパレータ同士を接続するために使用するセパレータ結合金具に関する。
【背景技術】
【０００２】
コンクリート構造物を構築する場合、型枠によって、コンクリート壁の幅、高さ、長さ等が決められる。型枠は、打設されるコンクリートを直接支えるせき板と、せき板を外側から支える支保工から構成されている。せき板としては合板や鋼板の他、板をかまちや中桟で補強した木製パネルや鋼製パネルが利用されている。支保工としては角材、パイプ、型鋼が用いられている。さらに、コンクリート打設部分を挟んで向い合って配設されるせき板相互の間隔を保つため、セパレータがせき板間に配設される。このせき板の間隔が、コンクリート壁の厚さとなるので、セパレータを壁の厚さと一致した長さにする必要がある。
【０００３】
コンクリート壁の厚さも一定でなく、断面形状が台形をした壁の場合などには、セパレータの長さ地上からの高さに応じて階段状に変化するので、多様な長さのものが必要となる。これに対し、セパレータの長さはそれほど多様ではないので、２本のセパレータを中間で接続することで、所望の長さのセパレータとしている。
【０００４】
図５は、従来のセパレータ結合金具の一例を示す図で、（ａ）は使用状態を示す平面図、（ｂ）はセパレータ結合金具の側面図である。これらに示すセパレータ結合金具１０は、六角柱状で、中心軸に沿って雌ネジ孔１１が貫通形成されたものである。セパレータの端部には雄ネジが刻設されているが、その長さは一定である。そこで、セパレータ結合金具１０の長さを、セパレータに形成された雄ネジの長さの２倍としている。したがって、この雌ネジ孔１１の一方側から基準セパレータ１２の端部に形成された雄ネジを螺合して締め付けると、基準セパレータ１２の雄ネジは雌ネジ孔１１の長さの丁度中央で締め付け固定されることになる。そして、他方の調整セパレータ１３の端部に形成された雄ネジが、セパレータ結合金具１０の反対側から螺合される。基準セパレータ１２と調整セパレータ１３は、雌ネジ孔１１の中央で接触することになる。
【０００５】
基準セパレータ１２と調整セパレータ１３の他端には、ピーコン１４，１４が螺合接続される。ピーコン１４は、円錐台形で底面１４ａが型枠のせき板に接し、軸部１４ｂがせき板に穿設された孔を貫通して図示しない軸部の先端に形成された雄ネジとフォームタイ軸でせき板に締め付け固定される。基準セパレータ１２と調整セパレータ１３のピーコン１４，１４をそれぞれのせき板に締め付け固定したときの、せき板間の距離は、ピーコン１４の底面１４ａ，１４ａ間の距離となる。この距離Ｌをセパレータの長さとみなし、所望の間隔に保持することになるが、以下のような方法によっていた。
【０００６】
基準セパレータ１２の長さを、ピーコン１４の底面１４ａからセパレータ結合金具１０の先端面までの距離Ｌ１とし、調整セパレータ１３の長さを図示のようにＬ２とする。そして、
Ｌ＝Ｌ１＋Ｌ２
の関係が成り立つ。
【０００７】
距離Ｌは前述したように多様に変化するので、基準セパレータ１２の長さＬ１を一定とし、調整セパレータ１３の長さＬ２を切断等により変化させることで所望の長さＬを得ることが可能となる。そこで、従来は、調整セパレータ１３を全長に渡ってネジが刻設された全ネジセパレータを使用し、このセパレータを必要な長さに切断して使用していた。
【０００８】
調整セパレータ１３の切断には、高速カッターが使用されるが、この高速カッターは重いので、型枠職人は持ち歩くことはできず、一定の位置に据え付けて使用される。そして、大きな建設工事現場でも１台か２台しか置いていないので、調整セパレータ１３を必要な長さに切断するために、高速カッターのある場所まで歩いて移動しなければならない。さらに、切断しただけでは、ネジの螺合ができないので、グラインダーで面取をする必要もあり、かなりの時間を要することになる。
【０００９】
別の方法として、特許文献１（実開昭５６−３０２５５）に記載のターンバックルを用いて接続する方法がある。しかし、この方法は、調整できる範囲が狭い。また、一方のセパレータに右ネジを形成し、他方のセパレータには左ネジを形成しなければならず、セパレータの管理が複雑になる。
【００１０】
さらに、別の方法として、図６に示す結合金具がある。これは、結合金具２０の本体となるブロック２１に２本のセパレータが若干の間隔を開けて挿通できる孔２２を穿設し、この孔２２と交差する方向に締付部材２３を取り付けたものである。締付部材２３は、棒状で孔２２の中央にあり、上部の雄ネジ２３ａにナット２３ｂが螺合し、中間が細くくびれていて、下部が徐々に太くなる形状をしている。
【００１１】
２本のセパレータ１２，１３を締付部材２３の両側にくるように孔２２に挿通し、締付部材２３に形成した雄ネジ２３ａに螺合したナット２３ｂを回すと、締付部材２３の下部の太い部分が矢印ａの方向に上昇し、２本のセパレータ１２，１３を矢印ｂの方向に移動して間隔を拡げ、２本のセパレータ１２，１３を孔２２の両側面に押しつけることで、同時に固定して所定の長さＬに保持するものである。
【特許文献１】実開昭５６−３０２５５
【発明の開示】
【発明が解決しようとする課題】
【００１２】
しかしながら、２本のセパレータ１２，１３を１つの締付部材２３で同時に締め付け固定する場合、セパレータ１２，１３が締め付け作業中に動き易く、所望の長さを保持するのが非常に困難である。
【００１３】
本発明は、このような実情から考えられたもので、２本のセパレータを接続するセパレータ結合金具であって、所望の長さを確実に保持できるものを提供することを目的としている。
【課題を解決するための手段】
【００１４】
上記の目的を達成するために本願の第１の発明のセパレータ結合金具は、基本セパレータと調整セパレータとの２本のセパレータを接続して所望の長さのセパレータにするセパレータ結合金具において、結合金具本体に、前記基本セパレータの端部に形成された雄ネジと螺合して基本セパレータを一定の位置で締付固定する雌ネジ穴と、前記調整セパレータが貫通する貫通孔とを形成し、前記貫通孔内で貫通孔と交差する方向に進退自在に設けられた締付部材と、該締付部材を進退させる移動部材とを前記結合金具本体に設け、該締付部材に前記調整セパレータが挿通自在な挿通部と該挿通部から形成された斜面部とを形成し、前記調整セパレータを前記貫通孔と挿通部の重なり部分に挿通して前記移動部材が締付部材を前記貫通孔と交差する方向に移動したとき、前記斜面部が前記調整セパレータに圧接して調整セパレータの軸方向の移動を固定可能としたことを特徴としている。
【００１５】
前記締付部材の挿通部が、前記調整セパレータを挿通可能な挿通孔で、該挿通孔が調整セパレータを挿通可能な大径部と、該大径部に連続し調整セパレータの径より小さい小径部とを有し、前記斜面部が大径部と小径部との間に形成された構成とすることができる。
【００１６】
また本願の第２の発明のセパレータ結合金具は、基本セパレータと調整セパレータとの２本のセパレータを接続して所望の長さのセパレータにするセパレータ結合金具において、結合金具本体に、前記基本セパレータの端部に形成された雄ネジと螺合して基本セパレータを一定の位置で締付固定する雌ネジ穴と、前記調整セパレータが貫通する貫通孔とを形成し、該貫通孔内で貫通孔と交差する方向に進退自在に設けられた締付部材を設け、前記締付部材が前記調整セパレータが挿通可能な挿通孔と、該締付部材を進退させる移動部材とを有し、前記調整セパレータを前記貫通孔と挿通孔の重なり部分に挿通し、前記移動部材が締付部材を前記貫通孔と交差する方向に移動したとき、前記貫通孔と挿通孔とのずれによって前記調整セパレータの軸方向の移動が固定されることを特徴としている。
【００１７】
前記移動部材が、前記締付部材に形成された雄ネジと、該雄ネジと螺合するナットとからなる構成とすることができる。
【００１８】
また第３の発明のセパレータ結合金具は、基本セパレータと調整セパレータとの２本のセパレータを接続して所望の長さのセパレータにするセパレータ結合金具において、結合金具本体が、相対向して配置され一端側で接続した２枚の弾性板から構成され、２枚の弾性板の前記接続部側に基本セパレータの端部に形成された雄ネジと螺合して基本セパレータを一定の位置で締付固定する雌ネジ穴を形成し、該雌ネジ穴に近接した２枚の弾性板が対向する位置に調整セパレータが挿通される貫通部を形成し、前記弾性板の対向する２枚の板の間隔を調整する締付部材を設け、該締付部材で２枚の弾性板の間隔を狭めることで、前記調整セパレータを任意の位置に締付固定可能としたことを特徴としている。
【００１９】
前記締付部材が、前記２枚の板を貫通したボルトとナットである構成とすることができる。
【００２０】
また、第４の発明のセパレータ結合金具は、基本セパレータと調整セパレータとの２本のセパレータを接続して所望の長さのセパレータにするセパレータ結合金具において、結合金具本体に、前記基本セパレータの雄ネジと螺合して基本セパレータを一定の位置で締め付け固定する雌ネジ穴と、該雌ネジ穴から延長形成された通し穴と、該雌ネジ穴及び通し穴とに平行に形成され、前記調整セパレータが貫通自在な貫通孔とを形成し、該貫通孔と交差する方向に進退自在に設けられた締付部材と、該締付部材を進退させる移動部材とを前記結合金具本体に設け、該移動部材によって前記締付部材が、前記貫通孔と、前記雌ネジ穴または該雌ネジ穴から延長された通し穴の双方に同時に進退可能であることを特徴としている。
前記貫通孔の少なくとも一部が雌ネジ穴である構成とすることができる。
【発明の効果】
【００２１】
本願の第１の発明によれば、まず、セパレータ結合金具の雌ネジ穴に基本セパレータを螺合し、締め付け固定することで、基本セパレータの長さを確定する。次に、セパレータ結合金具の貫通孔に調整セパレータを挿通し、基本セパレータと調整セパレータとの長さの和が所定の長さになるように調整セパレータの長さを調整する。調整セパレータの長さが決まったら、移動部材で締付部材を移動して調整セパレータを固定する。セパレータは、締付部材は、セパレータを１本だけ固定するので、所定の長さを保持した状態で固定することができる。
【００２２】
締付部材に貫通孔を穿設し、この貫通孔に大径部と小径部を形成し、両者の間に斜面部を形成することによって、調整セパレータは、両側から斜面部で圧接され、所定の長さを保持した状態でしっかりと固定され、セパレータの長さを安定させることができる。
【００２３】
第２の発明によれば、結合金具本体の貫通孔と、締付部材の挿通孔とを重ねたところに調整セパレータを挿通し、移動部材で締付部材を移動すると、貫通孔と挿通孔とがずれるので、これによって、調整セパレータに圧接力を加え、位置を固定し、セパレータの長さを一定に保持することができる。移動部材が雄ネジとナットであれば、強い力で調整セパレータを圧接することができる。
【００２４】
本願の第３の発明によれば、２枚の弾性板の接続部側に基本セパレータの雄ネジと螺合する雌ネジ穴を形成し、該雌ネジ穴に近接した２枚の弾性板が対向する位置に調整セパレータが挿通される貫通部を形成し、前記弾性板の対向する２枚の板の間隔を調整する締付部材を設け、該締付部材で２枚の弾性板の間隔を狭めることで、前記調整セパレータを任意の位置に締付固定可能としたので、簡単な構成でセパレータを接続し、かつ、その長さを一定に保持することができる。
【００２５】
本願の第４の発明によれば、基本セパレータの雄ネジと螺合する雌ネジ穴に通し穴を延長形成し、この穴と平行に調整セパレータを挿通する貫通孔を形成し、締付部材が前記雌ネジ穴または該雌ネジ穴から延長された通し穴の双方に同時に進入して、基本セパレータと調整セパレータの２本のセパレータを同時に締付固定する。締付部材は、雌ネジで固定された基本セパレータからの反力を調整セパレータの押圧に利用することができ、より確実な固定が可能となる。
【発明を実施するための最良の形態】
【００２６】
以下、本発明の実施の形態を添付図面を参照して説明する。
図１は本発明のセパレータ結合金具の第１実施例を示す図で、（ａ）はセパレータ結合金具の使用状態を示す平面図、（ｂ）はセパレータ結合金具本体の（ｄ）におけるＣ−Ｃ線で切断した断面図、（ｃ）はセパレータ結合金具本体の平面図、（ｄ）はセパレータ結合金具を（ａ）のＡから見た図、（ｅ）は締付部材の図、（ｆ）は（ｅ）のＢから見た端面図である。
【００２７】
これらの図に示すように、本発明のセパレータ結合金具１００は、結合金具本体１１０に基準セパレータ１２の先端の雄ネジが螺合する雌ネジ穴１１１と、調整セパレータ１３が挿通される貫通孔１１２とを平行に穿設している。結合金具本体１１０には、貫通孔１１２と交差する方向に貫通した異形孔１１３がある。異形孔１１３には、締付部材１１５が取り付けられる孔である。締付部材１１５は、一方側が雄ネジ１１５ａで、中間に細くて調整セパレータ１３が挿通自在な挿通部１１５ｂがあり、挿通部１１５ｂに続いて斜面部１１５ｃがあり、拡大した端部１１５ｄへ達している。雄ネジ１１５ａは断面形状が円形で、挿通部１１５ｂから端部１１５ｄは断面が矩形となっているので、異形孔１１３は、一方が丸孔で他方は矩形孔となる。締付部材１１５は、雄ネジ１１５ａと移動部材としてのナット１１６との螺合により、貫通孔１１２と交差する方向（実施例では直角方向）にスライド自在である。また、締付部材１１５の斜面部１１５ｃには、図１（ｆ）に示すように、滑止の突起１１５ｅが形成されている。
【００２８】
次に、このセパレータ結合金具１００で基準セパレータ１２と調整セパレータ１３とを接続する方法について説明する。
【００２９】
まず、基準セパレータ１２の一端にピーコン１４を取り付け、他端の雄ネジをセパレータ結合金具１００の雌ネジ穴１１１に螺合する。基準セパレータ１２は通常のセパレータと同じで、中実の丸棒の端部に一定の長さの図示しない雄ネジが形成されたものである。この雄ネジを雌ネジ穴１１１に螺合すると、雄ネジの元までねじ込まれると、雌ネジ穴１１１の深さに関係なく、それ以上ねじ込めなくなる。あるいは、雌ネジ穴１１１の深さを所定の深さにして、雄ネジのねじ込める量を制限するようにしてもよい。いずれにしても、図１（ａ）に示す基準セパレータの長さＬ１が決まる。
【００３０】
次に、調整セパレータ１３を用意し、一端にピーコン１４をねじ込んで固定する。調整セパレータ１３の他端を貫通孔１１２に挿通する。このとき異形孔１１３には締付部材１１５が挿通されており、調整セパレータ１３は、挿通部１１５ｂを通過して先端がセパレータ結合金具１００の反対側に突き抜けた状態となる。そして、物差しでＬ２の長さを測定し、所定の位置で調整セパレータ１３のスライドを停止し、ナット１１６を回転する。すると、締付部材１１５が図１（ｄ）に示す図の上方に移動し始める。そして、締付部材１１５の斜面部１１５ｃが調整セパレータ１３を上昇させ、貫通孔１１２の内壁との間で調整セパレータ１３を固く保持して固定することができる。
【００３１】
ナット１１６を回転することで、固く締め付けることができ、また、締付部材１１５は調整セパレータ１３のみを締め付けるので、調整セパレータ１３は、締め付け中に長さ方向にずれることがなく、しかも、締付後にずれることもない。また、滑止の突起１１５ｅが調整セパレータ１３に圧接するので、調整セパレータ１３の圧接した部分にネジがなくても、長さ方向にずれることはない。貫通孔１１２の内壁にも、多数の突起１１２ａがあり、調整セパレータ１３の滑りを防止する。以上によって、基準セパレータ１２と調整セパレータ１３とを接続して所定の長さのセパレータを得ることができる。
【００３２】
異形孔１１３は、丸孔とし、拡大した端部１１５ｄも矩形ではなく丸くすることができる。
【００３３】
図２は本発明のセパレータ結合金具の第２実施例を示す図で、（ａ）はセパレータ結合金具の使用状態を示す平面図、（ｂ）は（ａ）のＤ−Ｄ線で切断した断面図、（ｃ）は（ｂ）のＥ−Ｅ線断面図、（ｄ）は締付部材の図で（ｂ）のＦ−Ｆ線拡大断面図、（ｅ）はセパレータ結合金具を（ａ）の左側から見た図である。
【００３４】
図２（ａ）から（ｅ）に示すように、セパレータ結合金具２００の結合金具本体２１０には、基準セパレータ１２の先端の雄ネジが螺合する雌ネジ穴２１１と、調整セパレータ１３が挿通される貫通孔２１２とが平行に穿設されている構成は第１実施例と同じである。
【００３５】
この実施例では、異形孔１１３に該当する位置に、空間２１３が形成され、この空間２１３に締付部材２１５が収容されている。締付部材２１５は上方に雄ネジ２１５ａがあり、その下部は板状になっており、中央に玉子型の挿通孔２１５ｂが穿設されている。玉子型の挿通孔２１５ｂの上方は調整セパレータ１３が遊嵌できる径の大径部で、玉子型の孔２１５ｂの下部は調整セパレータ１３の径より若干小さい小径部であり、玉子型の挿通孔２１５ｂの側面が斜面部２１５ｃとなっている。斜面部２１５ｃには、滑止の突起２１５ｄがある。雄ネジ２１５ａにはナット２１６が螺合し、ナット２１６を緩めたり締め付けたりすることで締付部材２１５は図２（ｂ），（ｃ）において、貫通孔２１２と交差する方向、この実施例では上下方向（直角方向）に昇降する。
【００３６】
次に、このセパレータ結合金具２００で基準セパレータ１２と調整セパレータ１３とを接続する方法について説明する。
【００３７】
まず、基準セパレータ１２の一端にピーコン１４を取り付け、他端の雄ネジをセパレータ結合金具２００の雌ネジ穴２１１に螺合すると、実施例１と同様に、。図２（ａ）に示す基準セパレータ１２の長さＬ１が決まる。
【００３８】
次に、調整セパレータ１３を用意し、一端にピーコン１４をねじ込んで固定する。調整セパレータ１３の他端を貫通孔２１２に挿通する。このとき調整セパレータ１３が締付部材２１５の玉子型の挿通孔２１５ｂを通過できるようにナット２１６を緩めておく。調整セパレータ１３は、貫通孔２１２を貫通して先端がセパレータ結合金具２００の反対側に突き抜けた状態となる。そして、物差しでＬ２の長さを測定し、所定の位置で調整セパレータ１３のスライドを停止し、ナット２１６を回転する。すると、締付部材２１５が図２（ｃ）に示すように図の上方に移動し始める。そして、締付部材２１５の斜面部２１５ｃが調整セパレータ１３を上昇させ、貫通孔２１２の内壁との間で調整セパレータ１３を固く保持して固定することができる。
【００３９】
ナット１１６を回転することで、締付部材２１５は調整セパレータ１３のみを締め付けるので、強い力で締め付けることができ、調整セパレータ１３は、長さ方向にずれることがなく、位置の固定が確実にされることになる。また、滑止の突起２１５ｄと、貫通孔２１２の内壁にある多数の突起２１２ａとで調整セパレータ１３に圧接するので、調整セパレータ１３の圧接した部分にネジがなくても、調整セパレータ１３の滑りを防止でき、長さ方向にずれることはない。以上によって、基準セパレータ１２と調整セパレータ１３とを接続して所定の長さのセパレータを得ることができる。
【００４０】
上記の実施例では、挿通孔２１５ｂが大径部と小径部のある玉子型であったが、挿通孔２１５ｂを円形の孔としてもよい。結合金具本体２１０の貫通孔２１２と、円形の挿通孔とを重ねて調整セパレータ１３を挿通し、移動部材としてのナット２１６を締め付けると、貫通孔２１２と、円形の挿通孔とが図２（ｂ）の上下方向にずれるので、このずれによって、調整セパレータ１３に圧接力を加え、調整セパレータ１３の位置を固定することができることになる。
【００４１】
図３は本発明のセパレータ結合金具の第３実施例を示す図で、（ａ）はセパレータ結合金具の使用状態を示す平面図、（ｂ）は（ａ）のＧから見た図、（ｃ）は（ｂ）のＨ−Ｈ線断面図である。
【００４２】
セパレータ結合金具３００は、結合金具本体３１０を有する。この結合金具本体３１０は、一端側でＵ字状に接続された２枚の弾性板３１１，３１１から構成されている。そして、接続端側には、基準セパレータ１２の雄ネジと螺合する雌ネジ穴３１２が穿設され、これと平行に調整セパレータ１３が挿通される貫通部３１３が形成されている。貫通部３１３は、調整セパレータ１３との接触面積が多くなるように、円弧状の内壁面を有し、雌ネジとなっている。
【００４３】
相対向配置された弾性板３１１，３１１には、貫通孔３１４が穿設されており、ここに締付部材３２０として、ボルト３２１とナット３２２が設けられている。すなわち、貫通孔にボルト３２１が挿通され、貫通した先端側からナット３２２を螺合している。
【００４４】
次に、このセパレータ結合金具３００で基準セパレータ１２と調整セパレータ１３とを接続する方法について説明する。
【００４５】
まず、一端にピーコン１４を取り付けた基準セパレータ１２の雄ネジをセパレータ結合金具３００の雌ネジ穴３１２に螺合し、締付固定することで、実施例１，２と同様に図３（ａ）に示す基準セパレータの長さＬ１が決まる。
【００４６】
次に、ピーコン１４を取り付けた調整セパレータ１３を貫通部３１３の雌ネジに螺合し、貫通させる。そして、物差しでＬ２の長さを測定し、所定の位置で調整セパレータ１３の回転を停止し、ナット３２２を回転する。すると、弾性板３１１は互いに接近し、貫通部３１３の間隔が狭まり、やがて、弾性板３１１の貫通部３１３が強く調整セパレータ１３に圧接して調整セパレータ１３の位置を固定する。以上によって、基準セパレータ１２と調整セパレータ１３とを接続して所定の長さのセパレータを得ることができる。調整セパレータ１３は、貫通部３１３の雌ネジ部分で滑りを止めることができるので全ネジセパレータでなくてもよい。また、図示は省略するが、貫通部３１３は雌ネジの代わりに、実施例１，２に示したような滑止の突起を形成してもよい。
【００４７】
図４は本発明のセパレータ結合金具の第４実施例を示す図で、（ａ）はセパレータ結合金具の使用状態を示す平面図、（ｂ）は結合金具本体の断面図、（ｃ）は（ｂ）のＩ−Ｉ線断面図、（ｄ）はセパレータ結合金具を（ｂ）のＪから見た図である。
【００４８】
セパレータ結合金具４００の結合金具本体４１０には、平行な２つの貫通孔を有する。１つは、左端に雌ネジ穴４１１があり、この雌ネジ穴４１１に続いて通し孔４１２となっている。もう１つは、右端側に雌ネジ穴４１３があり、左端側に通し孔４１４が連続している。また、結合金具本体４１０の中心には、これらの貫通孔と直交する方向にネジ穴４１５があり、このネジ穴４１５には、締付部材４２０としてのボルトが螺合しており、締付部材４２０は、平行に並ぶ通し孔４１２と４１４の双方に露出可能である。締付部材４２０には、頭部に十字型の溝４２１があり、ドライバーや鋸歯の背などのスパナ以外の工具でも締め付けができるようになっている。
【００４９】
次に、このセパレータ結合金具４００で基準セパレータ１２と調整セパレータ１３とを接続する方法について説明する。
【００５０】
まず、一端にピーコン１４を取り付けた基準セパレータ１２の雄ネジをセパレータ結合金具４００の通し孔４１２から入れて雌ネジ穴４１１で螺合し、締付固定することで、実施例３と同様に図４（ａ）に示す基準セパレータの長さＬ１が決まる。
【００５１】
次に、全ネジの調整セパレータ１３にピーコン１４を取り付けで、通し孔４１４から入れて貫通部３１３に挿通し、雌ネジ穴４１３と螺合させる。そして、物差しでＬ２の長さを測定し、所定の位置で調整セパレータ１３の回転を停止し、締付部材４２０のボルトを回転する。すると、ボルトの先端が２本のセパレータ１２，１３を同時に押し、調整セパレータ１３が固定される。基本セパレータ１２は、雌ネジ４１１によって固定されているので、締付部材４２０は基本セパレータ１２からの反力を受け、これを調整セパレータ１３の固定に利用できる。したがって、調整セパレータ１３はより大きな力によって固定されることになる。以上によって、基準セパレータ１２と調整セパレータ１３とを安定して接続して所定の長さのセパレータを得ることができる。
【００５２】
この実施例では、通し孔４１４と雌ネジ穴４１３になっているが、ネジのない貫通孔としてもよく、逆に全てを雌ネジ孔としてもよい。また、調整セパレータ１３も端部にのみ雄ネジのある通常のセパレータを使用することができる。
【００５３】
図５に示す従来のセパレータは、セパレータを接続する度ごとに、全ネジセパレータを所用の寸法に切断していたが、本発明ではその必要がなくなった。全ネジセパレータの任意の位置で固定できるからである。また、調整セパレータとしては、１００ｍｍ、１５０ｍｍ、２００ｍｍのように５０ｍｍ刻みに用意しておき、最も近い長さのものを使用するようにすることができる。また、本発明の実施例では、セパレータの全長に渡ってネジを形成しているが、これに限定されるものではない。ネジの部分の長さを、５０ｍｍとか１００ｍｍとし、ここと他端のネジ部以外は、無ネジとすることも可能である。
【図面の簡単な説明】
【００５４】
【図１】本発明のセパレータ結合金具の第１実施例を示す図で、（ａ）はセパレータ結合金具の使用状態を示す平面図、（ｂ）はセパレータ結合金具本体の（ｄ）におけるＣ−Ｃ線で切断した断面図、（ｃ）はセパレータ結合金具本体の平面図、（ｄ）はセパレータ結合金具を（ａ）のＡから見た図、（ｅ）は締付部材の図、（ｆ）は（ｅ）のＢから見た端面図である。
【図２】本発明のセパレータ結合金具の第２実施例を示す図で、（ａ）はセパレータ結合金具の使用状態を示す平面図、（ｂ）は（ａ）のＤ−Ｄ線で切断した断面図、（ｃ）は（ｂ）のＥ−Ｅ線断面図、（ｄ）は締付部材の図で（ｂ）のＦ−Ｆ線拡大断面図、（ｅ）はセパレータ結合金具を（ａ）の左側から見た図である。
【図３】本発明のセパレータ結合金具の第３実施例を示す図で、（ａ）はセパレータ結合金具の使用状態を示す平面図、（ｂ）は（ａ）のＧから見た図、（ｃ）は（ｂ）のＨ−Ｈ線断面図である。
【図４】図４は本発明のセパレータ結合金具の第４実施例を示す図で、（ａ）はセパレータ結合金具の使用状態を示す平面図、（ｂ）は結合金具本体の断面図、（ｃ）は（ｂ）のＩ−Ｉ線断面図、（ｄ）はセパレータ結合金具を（ｂ）のＪから見た図である。
【図５】従来のセパレータ結合金具の図で、（ａ）は使用状態を示す平面図、（ｂ）はセパレータ結合金具の側面図である。
【図６】セパレータ結合金具の他の従来例を示す図である。
【符号の説明】
【００５５】
１２      基準セパレータ
１３      調整セパレータ
１００    セパレータ結合金具
１１０    結合金具本体
１１１    雌ネジ穴
１１２    貫通孔
１１５    締付部材
１１５ｂ  挿通部
１１５ｃ  斜面部
１１５ｅ  突起
１１６    ナット
２００    セパレータ結合金具
２１０    結合金具本体
２１１    雌ネジ穴
２１２    貫通孔
２１２ａ  突起
２１３    空間
２１５    締付部材
２１５ｂ  挿通孔
２１５ｃ  斜面部
２１５ｄ  突起
２１６    ナット
３００    セパレータ結合金具
３１０    結合金具本体
３１１    弾性板
３１２    雌ネジ穴
３１３    貫通部
３２０    締付部材
３２１    ボルト
３２２    ナット
４００    セパレータ結合金具
４１０    結合金具本体
４１１    雌ネジ穴
４１２    通し孔
４１３    雌ネジ穴
【図１】
2007255163.tif 000003
【図２】
2007255163.tif 000004
【図３】
2007255163.tif 000005
【図４】
2007255163.tif 000006
【図５】
2007255163.tif 000007
【図６】
2007255163.tif 000008